(57)【要約】【課題】異常な接客状態を判定し、いわゆるキャッチゴトを事前に防止する。【解決手段】遊技機が配置されるとともに、複数の店員が配置される遊技場における、遊技者と接客する店員の接客異常を監視する接客異常監視システムであって、各店員の接客状態を検出する接客検出手段と、検出した各店員の接客状態にもとづいて、異常な接客状態を判定する接客異常判定手段とを備える。例えば、接客検出手段は、店員の操作に応じてインカム子機から送信される接客信号（インカムＩＤ）にもとづいて、各店員の接客状態を検出し、接客異常判定手段は、同時期における接客状態の重なりを監視し、同時期における接客状態の店員数が所定数以上のとき、異常な接客状態であると判定する。【選択図】図８
2010213988.tif 000002
【特許請求の範囲】
【請求項１】
遊技機が配置されるとともに、複数の店員が配置される遊技場における、遊技者と接客する店員の接客異常を監視する接客異常監視システムであって、
各店員に携帯され、所定の信号を出力する端末装置と、
この信号を受信可能に接続された管理装置と、を備え、
前記管理装置は、前記信号より各店員の接客状態を検出する接客検出手段と、
検出した各店員の接客状態にもとづいて、異常な接客状態を判定する接客異常判定手段と、を備える
ことを特徴とする接客異常監視システム。
【請求項２】
前記接客検出手段が、
店員の操作に応じて前記端末装置から送信される接客信号にもとづいて、各店員の接客状態を検出する
ことを特徴とする請求項１記載の接客異常監視システム。
【請求項３】
前記端末装置は、店員の歩行・歩行停止状態を検出する歩行検出手段を備え、
前記接客検出手段が、
前記端末装置から送信される歩行停止信号にもとづいて、各店員の接客状態を検出する
ことを特徴とする請求項１又は２記載の接客異常監視システム。
【請求項４】
前記接客異常判定手段が、
同時期における接客状態の重なりを監視し、同時期における接客状態の店員数が所定数以上のとき、異常な接客状態であると判定する
ことを特徴とする請求項１〜３のいずれか一項に記載の接客異常監視システム。
【請求項５】
前記管理装置は、遊技場の複数のエリアに配置される複数の店員のＩＤを関連付けたエリア別ＩＤ情報を記憶し、
前記接客異常判定手段は、
同時期かつ同エリアにおける接客状態の重なりを監視し、同時期かつ同エリアにおける接客状態の店員数が所定数以上のとき、そのエリアが異常な接客状態であると判定する
ことを特徴とする請求項１〜４のいずれかに記載の接客異常監視システム。
【請求項６】
前記接客異常判定手段が異常な接客状態であると判定したとき、接客異常を報知する接客異常報知手段を備える
ことを特徴とする請求項１〜５のいずれかに記載の接客異常監視システム。
【請求項７】
前記管理装置は、前記遊技機から出力される遊技情報を収集可能に接続されるとともに、所定の遊技情報を遊技機の異常履歴情報として記憶し、
前記接客異常判定手段が異常な接客状態であると判定したとき、前記異常履歴情報に接客異常を記録する接客異常履歴記録手段を備える
ことを特徴とする請求項１〜６のいずれかに記載の接客異常監視システム。
【請求項８】
前記接客異常判定手段が異常な接客状態であると判定したとき、接客異常が発生したエリアの監視カメラ画像を録画する接客異常エリア録画手段を備える
ことを特徴とする請求項１〜７のいずれかに記載の接客異常監視システム。
【発明の詳細な説明】
【技術分野】
【０００１】
本発明は、パチンコ機、パチスロ機などの遊技機が設置される遊技場において店員の接客異常を監視する接客異常監視システムに関し、特に、集団で行われる不正行為に対する接客異常を監視する接客異常監視システムに関する。
【背景技術】
【０００２】
近年、パチンコ機、パチスロ機などの遊技機が設置される遊技場では、店員同士や店員と管理者のコミュニケーションツールとして、インカム（インターコミュニケーションシステム）と呼ばれる構内無線通信システムが広く利用されている。インカムは、インカム親機と、複数のインカム子機（店員端末装置）からなり、インカム子機では、ヘッドセットを用いたハンズフリーの通話が可能なだけでなく、全てのインカム子機又はグループ化されたインカム子機間で同時通話ができるので、即時性が求められる遊技場のコミュニケーションツールとして好適である。
【０００３】
例えば、特許文献１に示される異常検出システムでは、自システムが管理するいずれかの遊技機において遊技状態の異常を検出すると、遊技機識別情報が含まれる異常検出信号をインカム子機に送信するとともに、店内放送を制限している。
また、特許文献２に示される遊技場管理装置では、遊技機の不適正な電源オン信号を検出すると、不正行為が疑われる遊技機の台番号をインカム子機に送信するようになっている。
このような異常検出システムや遊技場管理装置によれば、不正遊技者に気付かれることなく、不正行為の現場を取り押さえることが可能になる。
【先行技術文献】
【特許文献】
【０００４】
【特許文献１】特開２００２−３２５９４４号公報
【特許文献２】特開２００８−１５４６３５号公報
【発明の概要】
【発明が解決しようとする課題】
【０００５】
近年、遊技場では、いわゆるキャッチゴトと呼ばれる集団不正行為が発生している。キャッチゴトは、複数のメンバーを含むゴト集団が行う不正行為であり、まず、ゴト集団のあるメンバーが、遊技場の特定エリアで、玉をばらまいたり、難癖をつけることにより、同エリアに配置された複数の店員を長時間にわたって同時に接客状態とする。このとき、同エリアでは、店員が通常のサービスや監視を行えない状態となるので、ゴト集団の他のメンバーが、監視のおろそかになった遊技機に対して不正を働き、不法な利益を得ることが可能となってしまう。
【０００６】
このようなキャッチゴトは、遊技機に対して実際に不正が行われる前に発見し、事前に防止することが望ましいが、特許文献１、２に示されるような異常検出システムや遊技場管理装置では、遊技機における遊技状態の異常や、遊技機の不適正な電源オン信号に応じて、インカム子機に異常を通報するので、キャッチゴトを事前に防止することは困難であった。
【０００７】
また、店員が、対応する客を常に疑うことは、困難であるとともに、たとえキャッチゴトが疑われる客であったとしても、その面前で、インカムを通じて、他の店員や遊技場の管理者に、その旨を伝えることを躊躇することから、抜本的な対策が図れなかった。
また、キャッチゴトを事前に防止する方法としては、遊技場の管理者が、インカムを通じて各店員の接客状態を把握し、キャッチゴトが疑われるエリアを事前に察知するという方法が考えられるが、この方法は、管理者に大きな負担がかかるので、多くの店員を配置した大規模な遊技場では実施が困難であった。
【０００８】
本発明は、上記の事情にかんがみなされたものであり、各店員の接客状態を検出し、検出した各店員の接客状態にもとづいて、異常な接客状態を判定することにより、キャッチゴトを事前に防止することができる接客異常監視システムの提供を目的とする。
【課題を解決するための手段】
【０００９】
上記目的を達成するため本発明の接客異常監視システムは、遊技機が配置されるとともに、複数の店員が配置される遊技場における、遊技者と接客する店員の接客異常を監視する接客異常監視システムであって、各店員に携帯され、所定の信号を出力する端末装置と、この信号を受信可能に接続された管理装置と、を備え、前記管理装置は、前記信号より各店員の接客状態を検出する接客検出手段と、検出した各店員の接客状態にもとづいて、異常な接客状態を判定する接客異常判定手段と、を備える構成としてある。
【発明の効果】
【００１０】
本発明によれば、各店員の接客状態を検出し、検出した各店員の接客状態にもとづいて、異常な接客状態を判定するので、異常な接客状態との判定からキャッチゴトを察知し、遊技機に対する不正行為を事前に防止することができる。
【図面の簡単な説明】
【００１１】
【図１】本発明の一実施形態に係る接客異常監視システムの構成を示すブロック図である。
【図２】本発明の一実施形態に係る接客異常監視システムを構成する管理装置の表示画面における表示例を示す説明図である。
【図３】本発明の一実施形態に係る接客異常監視システムを構成する管理装置の表示画面に表示させる異常情報の説明図である。
【図４】本発明の一実施形態に係る接客異常監視システムを構成するインカムの構成を示す説明図である。
【図５】本発明の一実施形態に係る接客異常監視システムを構成するインカムの検出エリアを示す説明図である。
【図６】本発明の一実施形態に係る接客異常監視システムのインカムの内部構成を示すブロック図である。
【図７】本発明の一実施形態に係る接客異常監視システムの管理装置の表示部に表示された遊技場のエリア別ＩＤ情報の説明図である。
【図８】本発明の一実施形態に係る接客異常監視システムの管理装置で実行される接客異常判定処理の処理手順を示すフローチャートである。
【図９】本発明の一実施形態に係る接客異常監視システムを構成する端末装置の他例を示すブロック図である。
【発明を実施するための形態】
【００１２】
以下、本発明の実施形態について、図面を参照して説明する。
【００１３】
図１は、接客異常監視システムの構成を示すブロック図である。図２の（ａ）〜（ｃ）は、接客異常監視システムを構成する管理装置の表示画面を示す説明図である。
図１に示す接客異常監視システム１は、複数の遊技機が配置されるとともに、遊技者と接客可能な複数の店員が配置される遊技場における、遊技者と接客する店員の接客異常を監視するように構成されている。
具体的には、接客異常監視システム１は、管理装置１０と、遊技機２と接続される台コンピュータ４及び島コンピュータ５と、インカム（構内無線通信システム）６と、音声合成装置７と、監視カメラ８と、録画装置９とを備えて構成されている。
【００１４】
管理装置１０は、パチンコ機、パチスロ機などの遊技機２が設置される遊技場において各種の管理を行うコンピュータであって、記憶部１１、表示部１２、制御部１３、通信部（端末装置との通信手段）１４などを備えている。
【００１５】
記憶部１１は、遊技場における島３や遊技機２のレイアウトを記録したレイアウトマップ情報、遊技機２の稼働状況を記録した稼働情報、遊技機２の異常履歴を記録した異常履歴情報などを記憶している。
【００１６】
表示部１２は、液晶ディスプレイなどで構成されており、稼働状況や異常箇所の表示を行う。例えば、図２（ａ）は、稼働状況の表示画面を示しており、この画面では、遊技場における島３及び遊技機２のレイアウトを示し、稼働中の遊技機２と非稼働の遊技機２を異なる色やマーク等で表示するので、遊技場の稼働状況を容易に認識することできる。
【００１７】
制御部１３は、遊技機２から収集した各種の遊技情報にもとづいて、表示部１２に稼働状況や異常箇所を表示したり、記憶部１１に稼働情報や異常履歴情報を記憶するという既存の処理に加え、本発明特有の接客異常判定処理を実行するようになっている。
【００１８】
通信部１４には、台コンピュータ４を介して遊技機２や周辺機器の情報を収集する複数の島コンピュータ５と、インカム（構内無線通信システム）６の親機であるインカム親機６１と、文字列を音声に変換し、インカム親機６１に出力する音声合成装置７と、遊技場の各エリアに配置される複数の監視カメラ８と、監視カメラ８が撮影した画像を録画する録画装置９とが接続されている。
【００１９】
遊技機２は、遊技情報を外部出力する外部端子盤を備えており、ここから出力される信号が台コンピュータ４及び島コンピュータ５を介して管理装置１０に送信される。例えば、パチンコ機からなる遊技機２は、外部端子盤から大当り信号、確変信号、スタート信号、セーフ信号（入賞信号）、アウト信号、金枠開閉信号、木枠開閉信号などを出力するように構成されている。なお、セーフ信号及びアウト信号は、遊技機２から出力することなく、遊技機外のアウトタンクや補給装置から出力される場合もある。
【００２０】
図３（ａ）及び（ｂ）は、異常情報の説明図である。
この図に示すように、管理装置１０は、遊技機２や周辺機器から収集した情報にもとづいて、各種の異常を判定する機能を備えている。この中には、キャッチゴトに関連して発生する可能性の高い情報が含まれ、例えば、多くの遊技媒体が異常に払出されるときに出力される「入賞異常」、遊技機に備える扉の開放状態を示す「金枠開」及び「木枠開」、売上金を収納する台間機に備える扉の開放状態を示す「台間売上扉開」などの異常項目が含まれている。
【００２１】
図４は、インカムの構成を示す説明図、図５は、アンテナ毎のインカム子機を検出するエリアを示す説明図、図６は、インカムの構成を示すブロック図である。
これらの図に示すように、インカム６は、インカム親機６１と、店員が携帯する複数のインカム子機（端末装置）６２からなり、このインカム６によれば、全てのインカム子機６２又はグループ化されたインカム子機６２間で同時通話ができるので、即時性が求められる遊技場のコミュニケーションツールとして広く用いられている。
また、インカム親機６１には、操作器６４やアンテナ６５が接続されている。
このアンテナ６５は、インカム子機６２が送信する後述のインカムＩＤからインカム子機６２の位置（エリア）が特定できるように、インカムＩＤを検出するエリアが重複しないよう配置されている（図５参照）。
【００２２】
次に、本発明の実施形態に係る接客異常監視システム１における管理装置１０の特徴的な構成について説明する。
管理装置１０は、遊技場に配置された各店員の接客状態を検出し、検出した各店員の接客状態にもとづいて、異常な接客状態を判定する機能を備えている。このようにすると、異常な接客状態との判定からキャッチゴトを察知し、遊技機に対する不正行為を事前に防止することができる。
【００２３】
具体的に説明すると、本実施形態の管理装置１０は、インカム親機６１を介して、各店員が携帯するインカム子機６２と通信可能であり、店員の操作に応じてインカム子機６２から送信される接客信号にもとづいて、各店員の接客状態を検出することができる。例えば、市販のインカム子機６２が備える緊急ボタンを長時間接客中ボタンとし、長時間の接客時に店員が長時間接客中ボタンを押すというルールを定めれば、市販のインカム６をそのまま利用して店員の接客状態を検出することが可能になる。
【００２４】
管理装置１０は、同時期における接客状態の重なりを監視し、同時期における接客状態の店員数が所定数以上のとき、異常な接客状態であると判定することができる。より好ましくは、遊技場の複数のエリアと、各エリアに配置される複数の店員のＩＤ（インカムＩＤ）を関連付けたエリア別ＩＤ情報を予め記憶部１１に記憶するとともに、同時期かつ同エリアにおける接客状態の重なりを監視し、同時期かつ同エリアにおける接客状態の店員数が所定数以上のとき、そのエリアが異常な接客状態であると判定する。このようにすると、キャッチゴトに伴う異常な接客状態をエリア毎に精度良く判定することができる。
【００２５】
図７は、管理装置の表示部に表示されたエリア別ＩＤ情報の説明図である。
この図に示すように、エリア別ＩＤ情報は、エリア名称と、島区分と、そのエリアに配置された店員のインカムＩＤとを関連付けて記憶部１１に予め記憶したデータであり、図７に示す例では、島３間の各通路をエリア１〜３として設定するとともに、各エリア１〜３に２人の店員を配置している。ここで、店員が長時間の接客状態になった場合は、携帯しているインカム子機６２の長時間接客中ボタンを押す。インカム子機６２の長時間接客中ボタンが押されると、インカム子機６２からインカム親機６１にインカムＩＤとともに接客信号が送信され、これが接客異常監視システム１に入力される。管理装置１０は、同時期かつ同エリアにおける接客状態の重なりを監視し、同時期かつ同エリアにおける接客状態の店員数が２以上のとき、そのエリアが異常な接客状態であると判定することができる。
【００２６】
管理装置１０は、異常な接客状態であると判定したとき、店員や管理装置１０のオペレータに接客異常を報知することができる。例えば、図２（ｂ）に示すように、接客異常と判定したエリアを管理装置１０の表示部１２に表示したり、「只今、島３、島４において店員不足状態となっています。ご注意ください。」といった警戒メッセージを各インカム子機６２に送る（緊急放送処理）。このようにすると、店員や管理装置１０のオペレータは、接客異常の報知に応じてキャッチゴトを警戒し、遊技機２に対する不正行為を事前に阻止することができる。
なお、インカム子機６２に対する警戒メッセージの送信は、管理装置１０から音声合成装置７に対し、予め設定した警戒メッセージ番号と、接客異常が発生したエリア番号又は島番号を送信することにより行うことができる。
【００２７】
管理装置１０は、異常な接客状態であると判定したとき、遊技機２の異常履歴情報に接客異常を記録することができる。例えば、図３（ｂ）に示すように、異常の内容と、異常が発生した台番号と、異常が発生した時刻とを関連付けた従来の異常履歴情報に、接客異常の有無を記録する領域と、接客異常が発生したエリアや島を記録する領域とを追加し、これらの領域に接客異常を記録する。
このようにすると、キャッチゴトの発生の有無を判定したり、異常履歴情報において接客異常「有り」が記録されている遊技機（例えば、図３（ｂ）では、台番「１５３」）を、不正の標的となっている遊技機２と特定することができる。
なお、不正の標的となっている遊技機２（台番「１５３」）は、図２（ｃ）に示すように、予め設定した色やマークで管理装置１０の表示部１２に表示することができる。
【００２８】
管理装置１０は、異常な接客状態であると判定したとき、接客異常が発生したエリアの監視カメラ画像を録画することができる。例えば、接客異常が発生したエリアの近傍にある監視カメラ８の首振り制御やズーム制御にもとづいて、接客異常が発生したエリアを監視カメラ８に撮影させるとともに、録画装置９をコマドリ録画モードから連続録画モードに切換え、接客異常が発生したエリアの画像を連続動画として録画する。このようにすると、録画した監視カメラ画像にもとづいて、キャッチゴトの有無を検証したり、不正行為の証拠を残すことができる。
【００２９】
次に、管理装置１０が行う接客異常判定処理の具体的な処理手順について、図８を参照して説明する。
図８は、接客異常判定処理の処理手順を示すフローチャートである。
この図に示すように、接客異常判定処理では、まず、インカム子機６２からインカムＩＤを含む接客信号を受信したか否かを判断する（Ｓ１：接客検出手段）。この判断結果がＹＥＳの場合は、エリア別ＩＤ情報を参照して受信したインカムＩＤのエリアを特定するとともに（Ｓ２）、エリア別のＩＤ受信数を判断する（Ｓ３：接客異常判定手段）。ここで、ＩＤ受信数が所定数以上のエリアがあると判断した場合は、そのエリアにおいて接客異常が発生したと判定し、表示部１２の表示画面で接客異常のエリアを報知（マーク表示）するとともに（Ｓ４：接客異常報知手段）、警戒メッセージを各インカム子機６２に送る（Ｓ５：接客異常報知手段）。また、接客異常判定時には、接客異常が発生したエリアの監視カメラ画像を録画するとともに（Ｓ６：接客異常エリア録画手段）、この接客異常が発生した時間の前後（例えば、前後５分間）において異常履歴情報の有無を判断し（Ｓ７）、この判断において異常履歴情報が有るときは（ＹＥＳ）、その異常履歴情報に接客異常を記録する（Ｓ８：接客異常履歴記録手段）。
【００３０】
以上のように構成された本実施形態の接客異常監視システム１は、各店員の接客状態を検出し、検出した各店員の接客状態にもとづいて、異常な接客状態を判定するので、異常な接客状態との判定からキャッチゴトを察知し、遊技機２に対する不正行為を事前に防止することができる。
【００３１】
また、接客異常監視システム１の管理装置１０は、各店員が携帯するインカム子機６２と通信可能であり、店員の操作に応じてインカム子機６２から送信される接客信号にもとづいて、各店員の接客状態を検出するので、市販のインカム６を用いて、店員の接客状態を検出することができる。例えば、市販のインカム子機６２が備える緊急ボタンを長時間接客中ボタンとし、長時間の接客時に店員が長時間接客中ボタンを押すというルールを定めれば、市販のインカム６をそのまま利用して店員の接客状態を検出することが可能になる。
【００３２】
また、接客異常監視システム１の管理装置１０は、同時期における接客状態の重なりを監視し、同時期における接客状態の店員数が所定数以上のとき、異常な接客状態であると判定するので、キャッチゴトに伴う異常な接客状態を精度良く判定することができ、特に、遊技場の複数のエリアと、各エリアに配置される複数の店員のＩＤを関連付けたエリア別ＩＤ情報を備え、同時期かつ同エリアにおける接客状態の重なりを監視し、同時期かつ同エリアにおける接客状態の店員数が所定数以上のとき、そのエリアが異常な接客状態であると判定するようにすれば、キャッチゴトに伴う異常な接客状態をエリア毎に精度良く判定することが可能になる。
【００３３】
また、接客異常監視システム１の管理装置１０は、異常な接客状態であると判定したとき、店員や管理装置１０のオペレータに接客異常を報知するので、店員や接客異常監視システム１のオペレータは、接客異常の報知に応じてキャッチゴトを警戒し、遊技機２に対する不正行為を事前に阻止することができる。
【００３４】
また、接客異常監視システム１の管理装置１０は、異常な接客状態であると判定したとき、遊技機２の異常履歴情報に接客異常を記録するので、異常履歴情報にもとづいて、キャッチゴトの発生を判定したり、不正の標的となっている遊技機２を特定することができる。
【００３５】
また、接客異常監視システム１の管理装置１０は、異常な接客状態であると判定したとき、接客異常が発生したエリアの監視カメラ画像を録画するので、録画した監視カメラ画像にもとづいて、キャッチゴトの有無を検証したり、不正行為の証拠を残すことができる。
【００３６】
以上、本発明について、好ましい実施形態を示して説明したが、本発明は、上述した実施形態にのみ限定されるものではなく、特許請求の範囲内で種々の変更が可能であることは言うまでもない。例えば、前記実施形態では、市販のインカム子機をそのまま端末装置として利用しているが、図９に示すような専用の端末装置を用いてもよい。この端末装置１００は、インカム子機などの無線通信端末に、加速度センサ１０１（歩行検出手段）とＩＣタグ１０２を付加して構成されるもので、加速度センサ１０１からの検出信号にもとづいて、制御部１０３が店員の歩行又は歩行停止を判定し、歩行停止と判定したとき、送信部１０４から管理装置１０に歩行停止信号（ＩＣタグ１０２のＩＤを含む）を送信する。
【００３７】
このようにすると、店員による操作を要求することなく、店員の接客状態を検出することができる。すなわち、遊技場の遊技機エリアに配置された店員は、通常、遊技機２の監視やサービスのために常に歩行し、接客時に立ち止まるので、管理装置１０は、所定時間以上継続して歩行停止信号を受信した場合には、接客状態であると判断することができる。また、歩行検出手段は、歩数計などに内蔵される安価な振子センサや加速度センサ１０１を利用できるので、コストの上昇も抑えることができる。
【産業上の利用可能性】
【００３８】
本発明は、パチンコ機、パチスロ機などの遊技機が設置される遊技場の接客異常監視システムとして利用され、各店員の接客状態を検出し、検出した各店員の接客状態にもとづいて、異常な接客状態を判定することにより、キャッチゴトを事前に防止することができる。
【符号の説明】
【００３９】
１  接客異常監視システム
２  遊技機
６  インカム
６１  インカム親機
６２  インカム子機（端末装置）
７  音声合成装置
８  監視カメラ
９  録画装置
１０  管理装置
１００  端末装置
１０１  加速度センサ（歩行検出手段）
【図１】
2010213988.tif 000003
【図２】
2010213988.tif 000004
【図３】
2010213988.tif 000005
【図４】
2010213988.tif 000006
【図５】
2010213988.tif 000007
【図６】
2010213988.tif 000008
【図７】
2010213988.tif 000009
【図８】
2010213988.tif 000010
【図９】
2010213988.tif 000011